(57)【要約】パルス幅がピコ秒からフェムト秒単位のパルス光を生成する超短パルスファイバレーザ２２と、レンズ２６を介して超短パルスファイバレーザ２２に接続されパルス光の波長に対する非線形係数が１０［Ｗ−１ｍ−１］以上で波長分散の大きさが２．０［ｐｓ／ｋｍ／ｎｍ］以下の特性を有する広帯域光スペクトル生成用光ファイバ２４とにより広帯域光スペクトル生成装置２０を構成する。超短パルスファイバレーザ２２からのパルス光は広帯域光スペクトル生成用光ファイバ２４の透過の際の波長分散により１２００ｎｍないし２０００ｎｍ程度の広い帯域に比較的平坦に広がるスーパーコンティニュームとなる。
2002071142.tif 000002
【特許請求の範囲】
【請求項１】
広帯域な光スペクトルを発生する広帯域光スペクトル生成装置であって、
短い間隔でパルス光を発生する短パルス光源と、
該短パルス光源で発生するパルス光の波長において非線形係数が１０［Ｗ−１ｍ−１］以上の特性を有し、前記短パルス光源から入力されるパルス光を広帯域な光スペクトルとする広帯域光スペクトル生成用光ファイバと、
を備える広帯域光スペクトル生成装置。
【請求項２】
前記広帯域光スペクトル生成用光ファイバは、５０ｍ以下の長さである請求項１記載の広帯域光スペクトル生成装置。
【請求項３】
前記広帯域光スペクトル生成用光ファイバは、波長分散の大きさが２［ｐｓ／ｋｍ／ｎｍ］以下の特性を有する請求項１または２記載の広帯域光スペクトル生成装置。
【請求項４】
前記広帯域光スペクトル生成用光ファイバは、偏波保持型である請求項１ないし３いずれか記載の広帯域光スペクトル生成装置。
【請求項５】
前記短パルス光源は、出力パルスの中心波長が１５５６ｎｍ近傍でパルス幅がピコ秒ないしフェムト秒単位のパルス光を出力することを特徴とする請求項１ないし４いずれか記載の広帯域光スペクトル生成装置。
【請求項６】
前記短パルス光源は、パルス幅が１０ないし１０００フェムト秒で平均出力で２０ｍＷ以上のパルス光を出力する光源である請求項１ないし５いずれか記載の広帯域光スペクトル生成装置。
【請求項７】
前記広帯域光スペクトルは、１３００ｎｍないし１９００ｎｍの帯域に亘って比較的平坦に広がることを特徴とする請求項１ないし６いずれか記載の広帯域光スペクトル生成装置。
【請求項８】
前記短パルス光源と前記広帯域光スペクトル生成用光ファイバとの間に介在し、該短パルス光源からのパルス光を該広帯域光スペクトル生成用光ファイバに入力するレンズを備える請求項１ないし７いずれか記載の広帯域光スペクトル生成装置。
【請求項９】
所定帯域の波長のうち所望の波長のパルス光を生成するパルス光生成装置であって、
短い間隔でパルス光を発生する短パルス光源と、該短パルス光源で発生するパルス光の波長において非線形係数が１０［Ｗ−１ｍ−１］以上の特性を有し、前記短パルス光源から入力されるパルス光を広帯域な光スペクトルとする広帯域光スペクトル生成用光ファイバとを有する広帯域光スペクトル生成手段と、
該広帯域光スペクトル生成手段からの広帯域な光スペクトルの供給を受け、該広帯域な光スペクトルから任意の波長の光スペクトルを抽出する光スペクトル抽出手段と、
を備えるパルス光生成装置。
【請求項１０】
前記光スペクトル抽出手段は、透過光の波長を変化可能な波長可変フィルタである請求項９記載のパルス光生成装置。
【請求項１１】
前記光スペクトル抽出手段は、電気的な信号に基づいて抽出する波長を調整可能な抽出波長調整手段を備える請求項９または１０記載のパルス光生成装置。
【請求項１２】
前記広帯域光スペクトル生成用光ファイバは、５０ｍ以下の長さに調整されてなる請求項９ないし１１いずれか記載のパルス光生成装置。
【請求項１３】
前記広帯域光スペクトル生成用光ファイバは、波長分散の大きさが２［ｐｓ／ｋｍ／ｎｍ］以下の特性に調整されてなる請求項９ないし１２いずれか記載のパルス光生成装置。
【請求項１４】
前記広帯域光スペクトル生成用光ファイバは、偏波保持型である請求項９ないし１３いずれか記載のパルス光生成装置。
【請求項１５】
前記短パルス光源は、出力パルスの中心波長が１５５６ｎｍ近傍でパルス幅がピコ秒ないしフェムト秒単位のパルス光を出力することを特徴とする請求項９ないし１４いずれか記載のパルス光生成装置。
【請求項１６】
前記短パルス光源は、パルス幅が１０ないし１０００フェムト秒で平均出力で２０ｍＷ以上のパルス光を出力する光源である請求項９ないし１５いずれか記載のパルス光生成装置。
【請求項１７】
広帯域な光スペクトルを発生する広帯域光スペクトル生成装置に用いられ、パルス光を広帯域な光スペクトルとする広帯域光スペクトル生成用光ファイバに前記パルス光を供給する短パルス光源であって、
出力パルスの中心波長が１５５６ｎｍ近傍でパルス幅がピコ秒ないしフェムト秒単位のパルス光を出力することを特徴とする短パルス光源。
【請求項１８】
広帯域な光スペクトルを発生する広帯域光スペクトル生成装置に用いられ、短パルス光源から入力されるパルス光を広帯域な光スペクトルとする広帯域光スペクトル生成用光ファイバであって、
前記短パルス光源で発生するパルス光の波長において非線形係数が１０［Ｗ−１ｍ−１］以上の特性を有することを特徴とする広帯域光スペクトル生成用光ファイバ。
【請求項１９】
長さが５０ｍ以下に調整されてなる請求項１８記載の広帯域光スペクトル生成用光ファイバ。
【請求項２０】
波長分散の大きさが２［ｐｓ／ｋｍ／ｎｍ］以下の特性を有することを特徴とする請求項１８または１９記載の広帯域光スペクトル生成用光ファイバ。
【請求項２１】
偏波保持型であることを特徴とする請求項１８ないし２０いずれか記載の広帯域光スペクトル生成用光ファイバ。
【発明の詳細な説明】
技術分野
本発明は、広帯域光スペクトル生成装置およびパルス光生成装置に関し、詳しくは、広帯域な光スペクトルを発生する広帯域光スペクトル生成装置および所定帯域の波長のうち所望の波長のパルス光を生成するパルス光生成装置に関する。
背景技術
近年、スーパーコンティニューム（Ｓｕｐｅｒ  Ｃｏｎｔｉｎｕｕｍ）と呼ばれる広域帯に広がる光スペクトルが光通信や光計測の分野で注目を集めており、非線形効果を有する光ファイバを用いることによりスーパーコンティニュームを生成する広帯域光スペクトル生成装置や生成手法が種々提案されている（例えば、特開平８−２３４２４９号公報や特開平１０−９０７３７号公報，特開平１１−１６０７４４号公報，特開平１１−１７４５０３号公報など）。
しかしながら、こうした広帯域光スペクトル生成装置や生成手法では、数百ｍないし数ｋｍの長さの光ファイバを用いる必要があり、実用に耐えるものとしては不都合であった。また、スーパーコンティニュームを生成するための励起光を得るために多くの増幅段が必要であり、装置が複雑で大型化していた。さらに、生成されるスペクトルの帯域も１４００ｎｍ〜１７００ｎｍ程度であった。
発明の開示
本発明の広帯域光スペクトル生成装置は、より広帯域な光スペクトル、特に広い帯域に平坦に広がるスーパーコンティニュームを生成することを目的の一つとする。また、本発明の広帯域光スペクトル生成装置は、装置の小型化とシンプル化を図ることを目的の一つとする。本発明のパルス光生成装置は、広帯域な領域から任意の波長のパルス光を生成することを目的とする。
本発明の広帯域光スペクトル生成装置およびパルス光生成装置は、上述の目的の少なくとも一部を達成するために以下の手段を採った。
本発明の広帯域光スペクトル生成装置は、広帯域な光スペクトルを発生する広帯域光スペクトル生成装置であって、短い間隔でパルス光を発生する短パルス光源と、該短パルス光源で発生するパルス光の波長において非線形係数が１０［Ｗ−１ｍ−１］以上の特性を有し、前記短パルス光源から入力されるパルス光を広帯域な光スペクトルとする広帯域光スペクトル生成用光ファイバと、を備えることを要旨とする。
この本発明の広帯域光スペクトル生成装置では、非線形係数が１０［Ｗ−１ｍ−１］以上の特性を有する広帯域光スペクトル生成用光ファイバを用いることにより、１２００ｎｍないし２０００ｎｍ程度の帯域に広がる光スペクトルを生成することができる。また、単一の短パルス光源を用いるだけだから、装置の小型化とシンプル化を図ることができる。
こうした本発明の広帯域光スペクトル生成装置では、広帯域光スペクトル生成用光ファイバとして、長さが５０ｍ以下、好ましくは１０ｍ以下に調整されたものを用いることができる。こうすれば、より安定した広帯域な光スペクトルを得ることができる。また、広帯域光スペクトル生成用光ファイバとしては、波長分散の大きさが２［ｐｓ／ｋｍ／ｎｍ］以下、好ましくは１．５［ｐｓ／ｋｍ／ｎｍ］の特性に調整されたものを用いることができる。こうすれば、より広帯域な光スペクトルを得ることができる。さらに、広帯域光スペクトル生成用光ファイバとして、偏波保持型のものを用いることができる。こうすれば、より安定に高非線形特性が得られる広帯域光スペクトル生成用光ファイバとすることができ、この結果、安定した広帯域な光スペクトルを得ることができる。
また、本発明の広帯域光スペクトル生成装置において、前記短パルス光源は、出力パルスの中心波長が１５５６ｎｍ近傍でパルス幅がピコ秒ないしフェムト秒単位のパルス光を出力することを特徴とするものとすることもできる。出力されるパルス光としては、パルス幅は狭い方が好ましく、パルス光のピーク出力は高い方が好ましい。例えば、短パルス光源として、パルス幅が１０ないし１０００フェムト秒で平均出力で２０ｍＷ以上のパルス光を出力するものを用いることができる。こうすれば、より安定して広帯域なスーパーコンティニュームを生成することができる。
本発明の広帯域光スペクトル生成装置において、広帯域光スペクトルは、１３００ｎｍないし１９００ｎｍの帯域に亘って比較的平坦に広がることを特徴とするものとすることもできる。ここで、「比較的平坦に」とは、出現するスペクトルの波長が連続的でその強度に大きなバラツキがないことを意味する。
本発明の広帯域光スペクトル生成装置において、前記短パルス光源と前記広帯域光スペクトル生成用光ファイバとの間に介在し、該短パルス光源からのパルス光を該広帯域光スペクトル生成用光ファイバに入力するレンズを備えるものとすることもできる。こうすれば、短パルス光源からのパルス光を容易に広帯域光スペクトル生成用光ファイバに入力することができる。
本発明のパルス光生成装置は、所定帯域の波長のうち所望の波長のパルス光を生成するパルス光生成装置であって、短い間隔でパルス光を発生する短パルス光源と該短パルス光源で発生するパルス光の波長において非線形係数が１０［Ｗ−１ｍ−１］以上の特性を有し前記短パルス光源から入力されるパルス光を広帯域な光スペクトルとする広帯域光スペクトル生成用光ファイバとを有する広帯域光スペクトル生成手段と、該広帯域光スペクトル生成手段からの広帯域な光スペクトルの供給を受け該広帯域な光スペクトルから任意の波長の光スペクトルを抽出する光スペクトル抽出手段と、を備えることを要旨とする。
この本発明のパルス光生成装置では、光スペクトル抽出手段が広帯域光スペクトル生成手段から出力される広帯域な光スペクトルのうち任意の波長の光スペクトルを抽出するから、広帯域な範囲から所望の波長の光スペクトル、すなわちパルス光を生成することができる。なお、広帯域光スペクトル生成手段は、上述の本発明の広帯域光スペクトル生成装置と同一の構成であるから、本発明の広帯域光スペクトル生成装置が奏する効果と同一の効果を奏することもできる。
こうした本発明のパルス光生成装置において、光スペクトル抽出手段は、透過光の波長を変化可能な波長可変フィルタであるものとすることもできる。また、光スペクトル抽出手段は、電気的な信号に基づいて抽出する波長を調整可能な抽出波長調整手段を備えるものとすることもできる。こうすれば、生成するパルス光の波長を自由に制御することができる。
本発明のパルス光生成装置に用いる広帯域光スペクトル生成用光ファイバとしては、長さが５０ｍ以下、好ましくは１０ｍ以下に調整されたものを用いることができる。こうすれば、より安定した広帯域な光スペクトルを得ることができる。また、広帯域光スペクトル生成用光ファイバとしては、波長分散の大きさが２［ｐｓ／ｋｍ／ｎｍ］以下、好ましくは１．５［ｐｓ／ｋｍ／ｎｍ］の特性に調整されたものを用いることができる。こうすれば、より広帯域な光スペクトルを得ることができる。さらに、広帯域光スペクトル生成用光ファイバとして、偏波保持型のものを用いることができる。こうすれば、より安定に高非線形特性が得られる広帯域光スペクトル生成用光ファイバとすることができ、この結果、安定した広帯域な光スペクトルを得ることができる。
また、本発明のパルス光生成装置において、短パルス光源としては、出力パルスの中心波長が１５５６ｎｍ近傍でパルス幅がピコ秒ないしフェムト秒単位のパルス光を出力することを特徴とするものを用いることができる。出力されるパルス光としては、パルス幅は狭い方が好ましく、パルス光のピーク出力は高い方が好ましい。例えば、短パルス光源として、パルス幅が１０ないし１０００フェムト秒で平均出力で２０ｍＷ以上のパルス光を出力するものを用いることができる。こうすれば、より安定して広帯域なスーパーコンティニュームを生成することができる。
本発明の短パルス光源は、広帯域な光スペクトルを発生する広帯域光スペクトル生成装置に用いられ、パルス光を広帯域な光スペクトルとする広帯域光スペクトル生成用光ファイバに前記パルス光を供給する短パルス光源であって、出力パルスの中心波長が１５５６ｎｍ近傍でパルス幅がピコ秒ないしフェムト秒単位のパルス光を出力することを特徴とする。
この本発明の短パルス光源によれば、これを広帯域光スペクトル生成装置に用いることにより、広帯域な光スペクトルを得ることができる。
本発明の広帯域光スペクトル生成用光ファイバは、広帯域な光スペクトルを発生する広帯域光スペクトル生成装置に用いられ、短パルス光源から入力されるパルス光を広帯域な光スペクトルとする広帯域光スペクトル生成用光ファイバであって、前記短パルス光源で発生するパルス光の波長において非線形係数が１０［Ｗ−１ｍ−１］以上の特性を有することを特徴とする。
この本発明の広帯域光スペクトル生成用光ファイバによれば、これを広帯域光スペクトル生成装置に用いることにより、広帯域な光スペクトルを得ることができる。
こうした本発明の広帯域光スペクトル生成用光ファイバとしては、長さが５０ｍ以下、好ましくは１０ｍ以下に調整されたものを用いることができる。こうすれば、より安定した広帯域な光スペクトルを得ることができる。また、広帯域光スペクトル生成用光ファイバとしては、波長分散の大きさが２［ｐｓ／ｋｍ／ｎｍ］以下、好ましくは１．５［ｐｓ／ｋｍ／ｎｍ］の特性に調整されたものを用いることができる。こうすれば、より広帯域な光スペクトルを得ることができる。さらに、広帯域光スペクトル生成用光ファイバとして、偏波保持型のものを用いることができる。こうすれば、より安定に高非線形特性が得られる広帯域光スペクトル生成用光ファイバとすることができ、この結果、安定した広帯域な光スペクトルを得ることができる。
発明を実施するための最良の形態
次に、本発明を実施するための最良の形態について実施例を用いて説明する。図１は、本発明の一実施例である広帯域光スペクトル生成装置２０の構成の概略を示す構成図である。実施例の広帯域光スペクトル生成装置２０は、パルス幅がピコ秒からフェムト秒単位のパルス光を生成する超短パルスファイバレーザ２２と、レンズ２６を介して超短パルスファイバレーザ２２に接続され超短パルスファイバレーザ２２からのパルス光を広帯域な光スペクトルとするた広帯域光スペクトル生成用光ファイバ２４とを備える。
超短パルスファイバレーザ２２としては、実施例では、パルス幅が１１０フェムト秒（ｆｓ）、出力パルスの中心波長が１５５６ｎｍ、繰り返しが５０ＭＨｚ、平均出力が６０ｍＷの超短パルス光を安定して生成するものを用いた。なお、超短パルスファイバレーザ２２としては、パルス幅はせまい方が好ましく、パルス光のピーク出力は高い方が好ましい。パルス幅とパルス光のピーク出力の関係は、パルス幅が広くてもパルス光のピーク出力が高ければ良好な結果を得ることができる。
広帯域光スペクトル生成用光ファイバ２４としては、高非線形分散シフトタイプの光ファイバが好ましく、その特性としては入力するパルス光の波長に対する非線形係数が１０［Ｗ−１ｍ−１］以上で波長分散の大きさが２．０［ｐｓ／ｋｍ／ｎｍ］以下、好ましくは１．５［ｐｓ／ｋｍ／ｎｍ］以下、特に１．０［ｐｓ／ｋｍ／ｎｍ］以下であることが好ましい。また、偏波保持型である方が好ましい。実施例では、広帯域光スペクトル生成用光ファイバ２４として入力するパルス光の波長１．５５μｍにおいてモードフィールド径が３．８μｍ、非線形係数が２１［Ｗ−１ｍ−１］、波長分散の大きさが１［ｐｓ／ｋｍ／ｎｍ］の偏波保持型の高非線形分散シフトファイバを用いた。なお、光ファイバの非線形性は、例えばシリカガラス系光ファイバの場合には、光の伝搬する断面積が小さい方が、コアへの二酸化ゲルマニウム（ＧｅＯ２）の添加量が多い方が非線形性を高めることができるから、偏波保持型の高非線形分散シフトファイバにおいても光の伝搬する断面積や添加物の量を調節することにより非線形性を調節することができる。なお、実施例の広帯域光スペクトル生成用ファイバ２４は、光ファイバの通常の製造方法によって生成することができる。
レンズ２６は、実施例では直径２ｍｍ，焦点距離２ｍｍのものを用いて、超短パルスファイバレーザ２２からのパルス光が広帯域光スペクトル生成用光ファイバ２４に入力できるものとした。なお、超短パルスファイバレーザ２２のパルス光の出力端は光ファイバであるから、超短パルスファイバレーザ２２の出力端を広帯域光スペクトル生成用光ファイバ２４に直接接続するものとすれば、レンズ２６は不要となる。
次に、こうして構成された実施例の広帯域光スペクトル生成装置２０の特性について説明する。図２ないし図８は、超短パルスファイバレーザ２２から平均出力が２５ｍＷ、パルスのピーク強度が４．７３４ｋＷ、１パルス当たりのエネルギーが５２０ｐＪのパルス光を種々のファイバ長の広帯域光スペクトル生成用光ファイバ２４に入力したときに、広帯域光スペクトル生成用光ファイバ２４の出力側で観測されるスペクトルを例示するグラフである。図２および図８中の波線で示した波長１５５６ｎｍを中心とするパルスは、超短パルスファイバレーザ２２から出力されるものを示している。なお、ファイバ長は、図２から順に、１ｍ，３ｍ，５ｍ，６ｍ，７ｍ，１０ｍ，２００ｍである。図２ないし図８から、ファイバ長が３ｍ〜１０ｍで１２００ｎｍ〜２０００ｎｍ程度の広帯域で比較的平坦に広がるスーパーコンティニュームが観測されている。
なお、ファイバ長が１０ｍから２００ｍの間のものについては実験していないが、ファイバ長が２０ｍや３０ｍでも良好なスーパーコンティニュームが得られることは容易に推測することができ、ファイバ長が５０ｍ以下であれば良好なスーパーコンティニュームが得られる。即ち、実施例の広帯域光スペクトル生成装置２０において超短パルスファイバレーザ２２からのパルス光の平均出力を２５ｍＷとすれば、スーパーコンティニュームを得るための広帯域光スペクトル生成用光ファイバ２４の長さは１ｍないし５０ｍ，好ましくは３ｍないし１０ｍ、更に好ましくは５ｍないし７ｍであることが分かる。平坦さを考慮せず、単に広帯域な光スペクトルを得ることを目的とすれば、ファイバ長は１ｍ〜２００ｍあるいは２００ｍ以上であってもよいことが分かる。
図９ないし図１５は、超短パルスファイバレーザ２２のパルス光の平均出力を種々変えて広帯域光スペクトル生成用光ファイバ２４の長さを５ｍとしたときに、広帯域光スペクトル生成用光ファイバ２４の出力側で観測されるスペクトルを例示するグラフである。なお、パルス光の平均出力は、図９から順に、１ｍＷ，２．５ｍＷ，５ｍＷ，１０ｍＷ，１５ｍＷ，２０ｍＷ，２５ｍＷである。図９ないし図１５から、短パルスファイバレーザ２２のパルス光の平均出力が２０ｍＷ以上で良好なスーパーコンティニュームが得られることが分かる。平坦さを考慮せず、単に広帯域な光スペクトルを得ることを目的とすれば、パルスファイバレーザ２２のパルス光の平均出力は、２．５ｍＷ以上あるいは５ｍＷ以上，１０ｍＷ以上，１５ｍＷ以上としてもよい。
超短パルスファイバレーザ２２からのパルス光の平均出力と広帯域光スペクトル生成用光ファイバ２４の長さとの間には、パルス光の平均出力が小さくてもファイバ長が長ければ広帯域光スペクトルを生成しやすいという関係が見られた。したがって、パルス光の平均出力が大きければファイバ長を１ｍやそれ未満としても良好なスーパーコンティニュームが得られる。逆に、パルス光の平均出力が小さくてもファイバ長を２０ｍや３０ｍなどのように長くすれば良好なスーパーコンティニュームが得られる。また、前述したように、パルス幅とパルス光のピーク出力の関係は、パルス幅が広くてもパルス光のピーク出力が高ければ良好な広帯域光スペクトルを得ることができる。
以上説明した実施例の広帯域光スペクトル生成装置２０によれば、パルス幅がピコ秒からフェムト秒単位のパルス光を生成する超短パルスファイバレーザ２２と、入力するパルス光の波長に対する非線形係数が１０［Ｗ−１ｍ−１］以上で波長分散の大きさが１．５［ｐｓ／ｋｍ／ｎｍ］以下の特性を有する広帯域光スペクトル生成用光ファイバ２４とを用いることにより、１４００ｎｍ〜１７００ｎｍの帯域を大きく越える１２００ｎｍ〜２０００ｎｍ程度、より確実な帯域とすれば１３００ｎｍないし１９００ｎｍの広帯域な光スペクトルを得ることができる。しかも、短パルスファイバレーザ２２のパルス光の平均出力が２０ｍＷ以上とすると共に広帯域光スペクトル生成用光ファイバ２４の長さを１ｍないし５０ｍ好ましくは３ｍないし１０ｍ更に好ましくは５ｍないし７ｍとすれば、１２００ｎｍ〜２０００ｎｍ程度の広帯域に比較的平坦に広がるスーパーコンティニュームを得ることができる。
また、実施例の広帯域光スペクトル生成装置２０によれば、単一の超短パルスファイバレーザ２２を用いるだけだから、装置の小型化とシンプル化を図ることができる。さらに、実施例の広帯域光スペクトル生成装置２０によれば、広帯域光スペクトル生成用光ファイバ２４の長さは１ｍないし５０ｍ好ましくは３ｍないし１０ｍ更に好ましくは５ｍないし７ｍであるから、数百ｍないし数ｋｍの長さの光ファイバを用いる従来例の装置に比して、小型化を図ることができる。
次に、実施例の広帯域光スペクトル生成装置２０を組み込んだ実施例のパルス光生成装置３０について説明する。図１６は、本発明の一実施例であるパルス光生成装置３０の構成の概略を示す構成図である。実施例のパルス光生成装置３０は、超短パルスファイバレーザ２２と広帯域光スペクトル生成用光ファイバ２４とレンズ２６とを備える上述の実施例の広帯域光スペクトル生成装置２０の出力側に、コンピュータ３４による駆動信号に基づいて透過波長を変更可能な波長可変フィルタ３２が接続されて構成されている。
波長可変フィルタ３２は、例えば分光器のように回折格子やプリズムを用いるものや音響光学光変調器を用いるものを使用することができる。実施例では、音響光学光変調器を用いた。音響光学光変調器の場合、内蔵されているドライバに駆動信号を与えることにより透過波長を容易に変更できるから、実施例では、コンピュータ３４からの制御信号を音響光学光変調器が内蔵するドライバに入力することにより波長可変フィルタ３２の透過波長を自由に調整できるものとした。
こうして構成された実施例のパルス光生成装置３０では、上述した実施例の広帯域光スペクトル生成装置２０により得られる１２００ｎｍないし２０００ｎｍ程度、より確実な帯域とすれば１３００ｎｍないし１９００ｎｍ程度の広帯域なスーパーコンティニュームに対して波長可変フィルタ３２の透過波長を調整することにより、得られるスーパーコンティニュームの帯域内の所望の波長のパルス光を出力することができる。しかも、コンピュータ３４により波長可変フィルタ３２の透過波長を調整することができるから、スーパーコンティニュームの帯域内で透過波長を短い側から長い方へあるいは長い方から短い方へ連続的に自動的に変更して出力するなど、所望の手法により所望の波長のパルス光を出力することができる。
実施例のパルス光生成装置３０では、コンピュータ３４により波長可変フィルタ３２の透過波長を調整するものとしたが、コンピュータ３４を備えないものとしても差し支えない。
以上、本発明の実施の形態について実施例を用いて説明したが、本発明はこうした実施例に何等限定されるものではなく、本発明の要旨を逸脱しない範囲内において、種々なる形態で実施し得ることは勿論である。
産業上の利用の可能性
本発明の広帯域光スペクトル生成装置やパルス光生成装置は、光通信に関する産業などに利用することができる。
【図面の簡単な説明】
図１は、本発明の一実施例である広帯域光スペクトル生成装置２０の構成の概略を示す構成図、
図２は、超短パルスファイバレーザ２２から平均出力２５ｍＷのパルス光を１ｍのファイバ長の広帯域光スペクトル生成用光ファイバ２４に入力したときの出力側で観測されるスペクトルを例示するグラフ、
図３は、超短パルスファイバレーザ２２から平均出力２５ｍＷのパルス光を３ｍのファイバ長の広帯域光スペクトル生成用光ファイバ２４に入力したときの出力側で観測されるスペクトルを例示するグラフ、
図４は、超短パルスファイバレーザ２２から平均出力２５ｍＷのパルス光を５ｍのファイバ長の広帯域光スペクトル生成用光ファイバ２４に入力したときの出力側で観測されるスペクトルを例示するグラフ、
図５は、超短パルスファイバレーザ２２から平均出力２５ｍＷのパルス光を６ｍのファイバ長の広帯域光スペクトル生成用光ファイバ２４に入力したときの出力側で観測されるスペクトルを例示するグラフ、
図６は、超短パルスファイバレーザ２２から平均出力２５ｍＷのパルス光を７ｍのファイバ長の広帯域光スペクトル生成用光ファイバ２４に入力したときの出力側で観測されるスペクトルを例示するグラフ、
図７は、超短パルスファイバレーザ２２から平均出力２５ｍＷのパルス光を１０ｍのファイバ長の広帯域光スペクトル生成用光ファイバ２４に入力したときの出力側で観測されるスペクトルを例示するグラフ、
図８は、超短パルスファイバレーザ２２から平均出力２５ｍＷのパルス光を２００ｍのファイバ長の広帯域光スペクトル生成用光ファイバ２４に入力したときの出力側で観測されるスペクトルを例示するグラフ、
図９は、広帯域光スペクトル生成用光ファイバ２４の長さを５ｍとし超短パルスファイバレーザ２２のパルス光の平均出力を１ｍＷとしたときに出力側で観測されるスペクトルを例示するグラフ、
図１０は、広帯域光スペクトル生成用光ファイバ２４の長さを５ｍとし超短パルスファイバレーザ２２のパルス光の平均出力を２．５ｍＷとしたときに出力側で観測されるスペクトルを例示するグラフ、
図１１は、広帯域光スペクトル生成用光ファイバ２４の長さを５ｍとし超短パルスファイバレーザ２２のパルス光の平均出力を５ｍＷとしたときに出力側で観測されるスペクトルを例示するグラフ、
図１２は、広帯域光スペクトル生成用光ファイバ２４の長さを５ｍとし超短パルスファイバレーザ２２のパルス光の平均出力を１０ｍＷとしたときに出力側で観測されるスペクトルを例示するグラフ、
図１３は、広帯域光スペクトル生成用光ファイバ２４の長さを５ｍとし超短パルスファイバレーザ２２のパルス光の平均出力を１５ｍＷとしたときに出力側で観測されるスペクトルを例示するグラフ、
図１４は、広帯域光スペクトル生成用光ファイバ２４の長さを５ｍとし超短パルスファイバレーザ２２のパルス光の平均出力を２０ｍＷとしたときに出力側で観測されるスペクトルを例示するグラフ、
図１５は、広帯域光スペクトル生成用光ファイバ２４の長さを５ｍとし超短パルスファイバレーザ２２のパルス光の平均出力を２５ｍＷとしたときに出力側で観測されるスペクトルを例示するグラフ、
図１６は、本発明の一実施例であるパルス光生成装置３０の構成の概略を示す構成図である。
【図１】
2002071142.tif 000003
【図２】
2002071142.tif 000004
【図３】
2002071142.tif 000005
【図４】
2002071142.tif 000006
【図５】
2002071142.tif 000007
【図６】
2002071142.tif 000008
【図７】
2002071142.tif 000009
【図８】
2002071142.tif 000010
【図９】
2002071142.tif 000011
【図１０】
2002071142.tif 000012
【図１１】
2002071142.tif 000013
【図１２】
2002071142.tif 000014
【図１３】
2002071142.tif 000015
【図１４】
2002071142.tif 000016
【図１５】
2002071142.tif 000017
【図１６】
2002071142.tif 000018
【国際調査報告】
2002071142.tif 000019
2002071142.tif 000020
2002071142.tif 000021
2002071142.tif 000022